(57)【要約】【課題】表示部の故障を障害の程度に応じ、迅速に利用者に確認できる緊急通報装置の提供。【解決手段】コントローラ９は大型警報表示器１の表示部２の制御回路への所定間隔で送信する異なる２種類の信号３１，３２と制御回路は２種類の信号３１，３２の入力でメーク３３ａ或いはブレイク３３ｂするリレーとを備え、コントローラ９は２種類の信号の送信とリレーのメイク３３ａ或いはブレイク３３ｂを検出して制御回路の異常を検出する異常検出装置９ａ，９ｂ，９ｃ，９ｄを備えた構成である。【選択図】図１
2008021253.tif 000002
【特許請求の範囲】
【請求項１】
警戒地域毎に設けた押し釦を有する発信機と、これらの発信機と無線或は有線で接続され、押し釦が操作された警戒地域を特定し、該当警戒地域をランプと銘板にて表示する表示装置を備えた受信機と、取付け自在に設置され、信号の入力で鳴動するサイレン及び点滅するフラッシュランプ及び警戒地域を表示する表示部を有する大型警報表示器と、前記受信機から前記大型警報表示器に信号を送信するコントローラとで構成される緊急通報装置において、前記コントローラは前記大型警報表示器の前記表示部の制御回路は前記２種類の信号の送信と前記リレーのメイク或いはブレイクを検出して前記制御回路の異常を検出する異常検出装置を備えたことを特徴とする緊急通報装置。
【請求項２】
請求項１記載の緊急通報装置において、前記２種類の信号は、前記表示部の制御回路に対する軽微な故障と重度な故障を検出可能な信号とするとともに、２進数及び１６進数のいずれかの一方としたことを特徴とする緊急通報装置。
【発明の詳細な説明】
【技術分野】
【０００１】
本発明は、緊急通報装置に係り、特に学校内への侵入者及びこの侵入者による犯罪に対する通報・報知に好適な緊急通報装置に関する。
【背景技術】
【０００２】
従来の緊急通報装置として、複数の警戒地域に押し釦を設けた発信機がそれぞれ配設され、緊急通報操作で押し釦が押されると、発信機が起動して受信機が設けられた警戒地域を特定するアドレス信号を含んだ緊急信号を送信し、その緊急信号を受信した受信機は、受信したアドレス信号に基づいて該当する発信機を特定するとともに、該当発信機の警戒地域を表示する表示灯を点灯させて異常発生を報知し、表示灯と点灯と表示灯の近傍に設けた銘板にて緊急事態が発生した警戒地域を確認する技術があった（例えば、特許文献１参照）。
【特許文献１】特許３６３０４１３号（段落００６５〜００７０，図１）
【発明の開示】
【発明が解決しようとする課題】
【０００３】
上記従来技術は、受信機に設けられる表示灯と銘版では表示が小さく、異常事態発生場所の確認は受信機の近くに行かなくてはできないという問題や、一度に確認できるのは一人が限度であり情報の共有化が迅速に行えないという問題や、どの警戒地域に出動してよいか判らないという問題や、受信機や表示灯に故障が発生した場合、有事に使用できなかったり、エラーが表示されていても見えにくく確認が遅れるという問題があった。
【０００４】
本発明の目的は、表示部の故障を障害の程度に応じ、迅速に利用者に確認できる緊急通報装置を提供することにある。
【課題を解決するための手段】
【０００５】
上記目的を達成するために本発明は、警戒地域毎に設けた押し釦を有する発信機と、これらの発信機と無線或は有線で接続され、押し釦が操作された警戒地域を特定し、該当警戒地域をランプと銘板にて表示する表示装置を備えた受信機と、取付け自在に設置され、信号の入力で鳴動するサイレン及び点滅するフラッシュランプ及び警戒地域を表示する表示部を有する大型警報表示器と、前記受信機から前記大型警報表示器に信号を送信するコントローラとで構成される緊急通報装置において、前記コントローラは前記大型警報表示器の前記表示部の制御回路へ所定間隔で送信する異なる２種類の信号と前記制御回路は前記２種類の信号の入力でメーク或いはブレイクするリレーとを備え、前記コントローラは２種類の信号の送信と前記リレーのメイク或いはブレイクを検出して前記制御回路の異常を検出する異常検出装置を備え、前記２種類の信号は、前記表示部の制御回路に対する軽微な故障と重度な故障を検出可能な信号とするとともに、２進数及び１６進数のいずれかの一方としたものである。
【発明の効果】
【０００６】
本発明によれば、コントローラは大型警報表示器の表示部の制御回路に所定間隔毎に２種類の信号を送信し、これらの信号で制御回路を介したリレーのメイク或いはブレイクを常時検知して、制御回路の軽微な故障と重度な故障を検出する異常検出装置を備えたことにより、制御回路に起因する異常を常時検出するようにしたので、異常への対応が迅速に行えるとともに、緊急通報装置の信頼性が向上する。
【発明を実施するための最良の形態】
【０００７】
以下、本発明の緊急通報装置の実施形態を図に基づいて説明する。
【０００８】
図１は本発明の一実施形態に係わる緊急通報装置を示す全体構成図、図２は学校内における緊急通報装置の機器配置を示す配置図、図３は職員室などに設置する緊急通報装置機器の配置を示す配置図、図４は緊急通報装置の動作の一例を示すフローチャートである。図５はコントローラと大型警報表示器間の異常検出方法を示すフローチャート、図６はコントローラと大型警報表示器間の異常検出処理の一例を示すタイムチャートである。
【０００９】
図１において、大型警報表示器１は、中央部に、教室名などの警戒地域を文字データとして表示し、例えば横２０個、縦１５個、計３００個のＬＥＤで構成されるＬＥＤ表示部２と、左側に、大型警報表示部１の表面器１の表面より突出して設置され、三角柱の形状を成すプラスチックのカバーの内部に複数のＬＥＤが設けられ、緊急事態をＬＥＤの点滅により目視で通知するフラッシュランプ３と、右側に、緊急事態を聴覚で通知するサイレン４とが配設されている。
【００１０】
また、後述する押し釦型送信機１３及び中継機１２から無線信号で送信される警報信号や復旧信号を受信する受信機５は、押し釦型送信機１３から警報信号を受信すると点灯する表示灯７と、表示灯７の警戒地域を明記する銘板８とが複数個配設され、押し釦型送信機１３から復旧信号の受信によって点滅状態となった表示灯７を消灯するリセットボタン６を設けている。
【００１１】
また、大型警報表示器１及び受信機５に接続されるコントローラ９には、受信機５から警報信号や復旧信号等の信号を取り組む信号入力部９ａと、フラッシュランプ３及びサイレン４の動作等を制御する制御部９ｂと、警報信号から警戒地域の文字データへ変換する表示データ変換部９ｃと、大型警報表示器１に信号を出力する信号出力部９ｄとを有し、大型警報表示器１へ警報信号の出力によって鳴動するサイレン４を停止させるサイレン停止スイッチ１０と、全ての警戒地域が復旧となったとき、検出大型警報表示器１のフラッシュランプ３及びＬＥＤ表示部２が消灯可能となる警報リセットスイッチ１１とが備えられている。
【００１２】
ここで、押し釦１３ａと、この押し釦１３ａの操作で警戒信号を出力し、押し釦１３ａの解除で復旧信号を出力する無線発信機１３ｂとで構成される押し釦型送信機１３は、警戒地域毎に設置され、受信機５へ無線にて信号送信されるが、電波が届かない場合は要所要所に設置した中継機１２を介して受信機５へ信号を伝達する。
【００１３】
また、警戒地域である教室等の名称変更があった場合は、コントローラ９に必要時接続されるパーソナルコンピュータ１６を用いて、文字データの書き換えを行う。
【００１４】
次に、送信機１３、中継機１２、受信機５、コントローラ９、大型警報表示器１の設置例を図２及び図３にて説明する。
【００１５】
図２及び図３において、押し釦型送信機１３は、教室１９に少なくとも１個設置し、警戒地域が広い体育館２０には複数個設置すれば、有事に押し釦１３ａを操作するという対応を速やかに行なえ、プール２１や運動場２２については、無線通信を行い可搬可能であるペンダント型送信機１４や腕時計型送信機１５を使用することで、押し釦型送信機１３を設置できない場所への対応が図れる。また、校舎内等仕切られた空間がある場合は廊下１８や階段室等に中継機１２を複数設置することで、無線の電波が直接受信機５へ届かない範囲をカバーできる。
【００１６】
また、大型警報表示器１、受信機５、コントローラ９の設置場所は、学校の教員が駐在する職員室１７や、職員の誰かが在席している事務室が適しており、本実施例では職員室１７に設置した例で説明を行なう。
【００１７】
ここで、本発明の緊急通報装置の操作や、有事における対応指示を行なう教職員の責任者である教頭席の近傍の壁に受信機５とコントローラ９を設置し、大型警報表示器１は天井近傍の高所へ設置すれば、警戒地域の場所を含め全職員の目にとまり易い。
【００１８】
次に、図４に基づいて緊急警報装置の動作を説明する。
【００１９】
学校の校舎内に不審者が侵入し、１−１の教室にて不審者を発見すると、１−１教室に設置した押し釦型送信機１３の押し釦１３ａを発見者が押下すると（ステップＡ１）、押し釦型送信機１３から警報信号と無線発信機１３ｂに予め設定した送信機ＩＤ（１−１）を送信する（ステップＡ２）。
【００２０】
警報信号と送信機ＩＤを受信した受信機５は、送信機ＩＤを認識し（ステップＢ１）、その認識により１−１の銘板８に隣接した表示灯７を点灯させるとともに（ステップＢ２）、送信機ＩＤの認識により抽出した１−１なる信号をコントローラ９へ出力する（ステップＢ３）。
【００２１】
コントローラ９の制御部９ｂは、信号入力部９ａで警報信号と１−１なる信号を取り込むと、表示データ変換部９ｃにて１−１なる信号を文字データ（１−１）を変換し、信号出力部ｄを介して大型警報表示器１へ出力するとともに（ステップＣ１）、警報信号の入力によって信号出力部９ｄからフラッシュランプ３の点滅と（ステップＤ２）、サイレン４へ動作信号を出力する（ステップＣ２、ステップＣ３）。
【００２２】
ステップＣ１〜Ｃ３の信号を受信した大型警報表示器１は、ＬＥＤ表示部２に１−１を表示するとともに（ステップＤ１）、フラッシュランプ３の点滅と（ステップＤ２）、サイレン４の鳴動を（ステップＤ３）行なう。
【００２３】
この状態で、教頭などの責任者は、ＬＥＤ表示部２より警戒地域である１−１教室を目視にて確認後、校内放送などを用いて全校内へ緊急事態を知らせるために、大型警報表示器１のサイレン４の鳴動を停止される必要有り、その方法はコントローラ９の装備されているサイレン停止スイッチ１０を押下すると（ステップＣ４）、制御部９ｂは信号出力部９ｄからサイレン停止信号を出力させ（ステップＣ５）、サイレン停止信号を入力した大型警報装置表示部１はサイレンの鳴動を停止させる（ステップＤ４）。
【００２４】
次に、不審者が、１−１教室から移動して２−１教室にて不審者を発見すると、２−１教室に設置した押し釦型送信機１３の押し釦１３ａを発見者が押下すると（ステップＡ３）、押し釦型送信機１３から警報信号と無線発信機１３ｂに予め設定した送信機ＩＤ（２−１）を送信する（ステップＡ４）。
【００２５】
警報信号と送信機ＩＤを受信した受信機５は、送信機ＩＤを認識し（ステップＢ１）、その認識により２−１の銘板８に隣接した表示灯７を点灯させるとともに（ステップＢ５）、送信機ＩＤの認識により抽出した２−１なる信号をコントローラ９へ出力する（ステップＢ６）。
【００２６】
コントローラ９の制御部９ｂは、信号入力部９ａで警報信号と２−１なる信号を取り込むと、表示データ変換部９ｃにて２−１なる信号を文字データ（２−１）を変換し、信号出力部９ｄを介して大型警報表示器１へ出力するとともに（ステップＣ６）、警報信号の入力によって信号出力部９ｄからサイレン４へ動作信号を出力する（ステップＣ７）。
【００２７】
ステップＣ６、ステップＣ８の信号を受信した大型警報表示器１は、ＬＥＤ表示部２に２−１を表示すつとともに（ステップＤ５）、サイレン４を再鳴動させる(ステップＤ６)。
【００２８】
教頭などの責任者は、ＬＥＤ表示部２より警戒地域である２−１教室を目視にて確認後、校内放送などを用いて全校内へ緊急事態を再度知らせるために、大型警報表示サイレン４の鳴動を停止させる。その方法は上述した方法と同様に、コントローラ９のサイレン停止スイッチ１０を押下（ステップＣ８）で、信号出力部９ｄから出力するサイレン停止信号によって（ステップＣ９）、大型警報表示器１のサイレン４の鳴動が停止する（ステップＤ７）。
【００２９】
ここで、受信機５の表示灯７は１−１と２−１が点灯し、大型警報表示器１のＬＥＤ表示部２は２−２教室が表示されているので、これらの表示より不審者が次に異動する場所が推測できるため、不審者を待ち伏せて捕獲することも可能である。
【００３０】
次に、不審者を捕獲しても、侵入場所に危険物などを放置する場合があるため、侵入場所の安全を確認するまで、大型警報表示器１はＬＥＤ表示部２へ警戒地域の表示及びフラッシュランプ３の点滅を続ける。
【００３１】
確認復旧の方法は、侵入現場である１−１教室と２−１教室の安全を確認後、押し釦型送信機１３の押し釦１３ａを引き戻すと（ステップＡ５）、押し釦型送信機１３の無線発信機１３ｂから復旧信号と送信機ＩＤを送信し（ステップＡ６）、これらの信号を受信した受信機５は送信機ＩＤ（１−１、２−１）を識別し、（ステップＢ７）、１−１及び２−１の銘板８に隣接するランプ８を点滅させるとともに（ステップＢ８）、１−１と２−１成る信号を消去し（ステップＢ９）、受信機５のリセット釦６の押下げにより（ステップＢ１０）、点滅しているランプ８は消灯する（ステップＢ１１）。ここでステップＢ９で１−１と２−１成る信号が消去されると、コントローラ９の制御部９ｂは信号入力部９ａを介してこれらの信号消去を検知する。
【００３２】
次に、コントローラ９の警報リセットスイッチ１１を押下すると（ステップＣ１０）、制御部９ｂは信号出力部９ｄを介してＬＥＤ表示部２とフラッシュランプ３の消灯指令信号（ステップＣ１１，ステップＣ１２）と、サイレン４の鳴動停止信号（ステップＣ１３）とを大型警報表示器１へ出力し、大型警報表示器１では、これらの信号で、ＬＥＤ表示部２のリセットと（ステップＤ８）、フラッシュランプ３の消灯と（ステップＤ９）、サイレン４の鳴動停止（ステップＤ１０）が行なわれ、正常状態に戻る。
【００３３】
また、１−１教室のみ安全確認して押し釦１３ａを引き戻したが、２−１教室の押し釦１３ａを引き戻さない場合は、受信機５の２−１成る信号が消去されないので、コントローラ９の警報リセットスイッチ１１を押下しても大型警報表示器１のＬＥＤ表示部２の表示及びフラッシュランプ３の点滅は継続する。
【００３４】
このように、全ての侵入場所の安全確認を、押し釦１３ａの引き戻しという動作を実施しない限り、コントローラ９の警報リセットスイッチ１１を押下げても大型警報表示器１の表示状態は継続する。
【００３５】
また、図５、図６を用い、コントローラ９で行なっている大型警報表示器１の異常検出方法について説明する。
【００３６】
異常検出方法は、コントローラ９から大型警報表示器１の表示部の制御回路へ所定間隔毎に２種類の信号を送信し、これらの信号のメーク３３ａ或いはブレイク３３ｂする図示しないリレーの状態を確認するものである。
【００３７】
まず、コントローラ９は、図示しない監視タイマーを開始し（ステップＥ１）、大型警報表示器１に軽度の故障チェック信号３１である１６進の信号０ｘ０１を２時間継続して送信し（ステップＥ２）、大型警報表示器１の制御回路の図示しないリレーが、メイク３３ａ状態を確認する（ステップＥ３）。ここで、１６進の信号０ｘ０１なるチェック信号３１を受信した大型警報表示器１は、図示しない制御回路が正常に動作している場合、図示しないリレーはメイク３３ａ状態を保ち、異常のときにブレーク３３ｂするような論理回路が形成されている。
【００３８】
次に、コントローラ９は、１６進の信号０ｘ０１なるチェック信号２１を送信してから図示しない監視タイマーが２時間経過したか否かを判断し（ステップＥ４）、２時間が経過してなければ、ステップＥ２に戻り１６進の信号０ｘ０１なるチェック信号３１を送信し続け、ステップＥ３で大型警報表示器１の制御回路が何らかの異常を検出し、図示しないリレーのブレーク３３ｂを検出すると、大型警報表示器１のフラッシュランプ３を点灯させて軽度の故障が発生したことを利用者に報知し（ステップＥ５）、このような軽度の故障の場合は、コントローラ９のサイレン停止スイッチ１０と警報リセットスイッチ１１を同時に３秒以上押す等、簡単なリセット操作で、図示しない制御回路が復旧するよう設定されており（ステップＥ６）、リセットが完了するとステップＥ１へ戻る。
【００３９】
また、ステップＥ４で図示しない監視タイマーが２時間経過すると、コントローラ９は、大型警報表示器１に重度の故障のチェック信号３２である１６進の信号０ｘＦＤを２０秒間継続して送信し（ステップＥ７）、大型警報表示器１の図示しない制御回路の図示しないリレーが、ブレーク３３ｂ状態となるかを確認し（ステップＥ８）、ブレーク３３ｂ状態を確認すると、大型警報表示器１の図示しない制御回路が正常に動作しており、図示しない監視タイマーをリセットし（ステップＥ８）、ステップＥ１に戻る。
【００４０】
また、ステップＥ８で、当初大型警報表示器１の図示しない制御回路は１６進の信号０ｘ０１なるチェック信号３１を受信しているので、図示しないリレーはメイク３３ａ状態を保っており、１６進の信号０ｘＦＤなるチェック信号３２を受信すると、図示しないリレーはブレーク３３ｂに切り替わるが、メイク３３ａ状態を継続しているのブレーク指令に対してブレーク不能となり、図示しない制御回路に重大なる異常が発生したこととなり、大型警報表示器１のフラッシュランプ３を点滅させて重度の故障が発生すると、上述したような簡単なリセット操作での復旧は不可能であり、部品の交換を含む専門の作評者による修理が必要である。
【００４１】
また、コントローラ９は、１６進の信号０ｘ０１なるチェック信号３１の立下り３１ｂ及び１６進の０ｘＦＤなるチェック信号３２の立上り３２ａ前後それぞれ５秒間と、１６進の信号０ｘ０１なるチェック信号３１の立上り３１ａ及び１６進の０ｘＦＤなるチェック信号３２の立下り３２ｂ前後それぞれ５秒間は、図示しないリレーの動作状態が不安定領域であるので、メイク３３ａとブレーク３３ｂの判定を行なわない領域３３ｃとし、メイク検出領域３４ａとブレーク検出領域３４ｂを予め定めている。
【００４２】
本実施の形態によれば、コントローラから所定間隔で２種類の異なる信号により故障検知ができ、軽度の故障及び重度の故障を的確に捉え、障害発生時の情報を漏れなく確実に利用者に報知することで、迅速なる故障対応を図ることができる。  
【図面の簡単な説明】
【００４３】
【図１】本発明の一実施形態に係わる緊急通報装置を示す全体構成図である。
【図２】学校内における緊急通報装置の機器配置を示す配置図である。
【図３】職員室などに設置する緊急通報装置機器の配置を示す配置図である。
【図４】緊急通報装置の動作の一例を示すフローチャートである。
【図５】コントローラと大型警報表示器間の異常検出方法を示すフローチャートである。
【図６】コントローラと大型警報表示器の異常検出処理のタイムチャートである。
【符号の説明】
【００４４】
１    大型警報表示器
２    ＬＥＤ表示部
３    フラッシュランプ
４    サイレン
５    受信機
７    表示灯
８    銘板
９    コントローラ
９ａ  信号入力部
９ｂ  制御部
９ｃ  表示データ変換部
９ｄ  信号出力部
１０  サイレン停止スイッチ
１１  警報リセットスイッチ
【図１】
2008021253.tif 000003
【図２】
2008021253.tif 000004
【図３】
2008021253.tif 000005
【図４】
2008021253.tif 000006
【図５】
2008021253.tif 000007
【図６】
2008021253.tif 000008